(57)【要約】【課題】挿入されているカードが不用意に引き抜かれることを確実に防止可能な機構を備えた小型でコンパクトなカードリーダライタを提案すること。【解決手段】ＩＣカードリーダライタ１では、カード挿入口４からＩＣカード１０を挿入して押し込むと、当該ＩＣカード１０を受け入れたカードホルダ２０がＩＣカード１０と共に押し込まれて、その後端位置まで移動する。カードホルダ２０が後端位置まで移動すると、ホルダロックアーム３１がロック位置に移動してカードホルダをロックする。同時に、カードホルダ２０の移動に連動して、引抜防止シャッタ４０が退避位置から引抜防止位置に移動し、ロック位置に移動したホルダロックアーム３１のシャッタロック用突起３１ｂによって、当該引抜防止位置にロックされる。よって、引抜防止シャッタ４０はガタ付き無く引抜防止位置に保持される。【選択図】図６
2007172033.tif 000002
【特許請求の範囲】
【請求項１】
カード型記憶媒体を挿入するためのカード挿入口と、
前記カード挿入口から挿入されるカード型記憶媒体を受け入れ、当該カード型記憶媒体によって、前記カード挿入口に接近した前端位置から、当該カード挿入口から離れた後端位置に押し込み可能なカードホルダと、
前記カードホルダを前記前端位置に向けて付勢しているホルダ付勢部材と、
前記カードホルダを前記後端位置にロックするためのホルダロック部材と、
前記ホルダロック部材をロック位置およびロック解除位置に移動させる駆動機構と、
前記後端位置まで押し込まれた前記カードホルダに保持されているカード型記憶媒体が前記カード挿入口から引き抜かれることを防止するための引抜防止シャッタと、
前記カードホルダの前記後端位置への押し込み動作に連動して前記引抜防止シャッタを引抜防止位置に向けて移動させ、前記カードホルダの前記前端位置への戻り動作に連動して前記引抜防止シャッタを前記引抜防止位置から退避した退避位置に向けて移動させる連動機構とを有し、
前記ホルダロック部材は、前記ロック位置に到ると、前記引抜防止シャッタに係合して当該引抜防止シャッタを前記引抜防止位置にロックするシャッタロック部を備えていることを特徴とするカードリーダライタ。
【請求項２】
請求項１において、
前記引抜防止シャッタは、前記カード挿入口の一部を封鎖して、挿入されているカード型記憶媒体の後端面に後ろ側から当接可能な前記引き抜き防止位置と、前記退避位置との間を旋回可能であり、
前記連動機構は、前記カードホルダの移動を前記引抜防止シャッタの旋回運動に変換するためのカム機構であることを特徴とするカードリーダライタ。
【請求項３】
請求項２において、
前記ホルダロック部材の前記シャッタロック部は、前記ロック位置に到る手前の時点から前記引抜防止シャッタに係合し、当該ホルダロック部材の移動に伴って前記引抜防止シャッタを前記引抜防止位置に押し込むための押圧面を備えていることを特徴とするカードリーダライタ。
【発明の詳細な説明】
【技術分野】
【０００１】
本発明は、遊技媒体の貸し出し処理をカード型記憶媒体を用いたプリペイド方式により行う場合などに用いられるカードリーダライタに関するものである。
【背景技術】
【０００２】
ＩＣメモリチップが内蔵されたＩＣカードを用いてプリペイド方式により遊技媒体の貸し出し処理を行うことのできる遊技台用台間機が知られている。かかる遊技台用台間機では、ＩＣカードに対して情報の読み書き処理を行うためのカードリーダライタが組み込まれており、例えば、利用者が紙幣などの金銭を投入すると、カードリーダライタによって投入金額がＩＣカードに書き込まれた後に、当該ＩＣカードが発行されるようになっている。
【０００３】
特許文献１にはＩＣカードの読み書きを行うためのＩＣカードリーダライタが開示されており、ここでは、ＩＣカードをカード出入口に挿入すると、駆動モータが駆動して送りローラ対によってＩＣカードが自動挿入され、内部に挿入されたＩＣカードを排出する場合にも送りローラ対によって指で挟んで取り出せる位置までＩＣカードが自動排出されるようになっている。
【特許文献１】特開平８−２５５２２９号公報
【発明の開示】
【発明が解決しようとする課題】
【０００４】
遊技台用台間機は、遊技台の間の狭いスペースに配置されるので、設置スペースに余裕がない。したがって、このような設置スペースに制約のある機器に組み込まれるカードリーダライタも可能な限り、小型でコンパクトなものとすることが望ましい。
【０００５】
特許文献１に開示のＩＣカードリーダライタのように、送りローラ対、駆動モータなどのカード自動搬送機構が備わっていると、小型・コンパクト化が困難である。したがって、カード自動搬送機構を省略して、手動操作によってカードを挿入する形式のカードリーダライタを用いることが望ましい。
【０００６】
ここで、カード自動搬送機構が備わっていないカードリーダライタでは、挿入されたカードが、読み書き動作中にカード挿入口から不用意に引き抜かれてしまう危険性が高い。
【０００７】
本発明の課題は、このような点に鑑みて、挿入されているカードが不用意に引き抜かれてしまうことを確実に防止可能な機構を備えた、手動操作によってカードの挿入を行う小型でコンパクトなカードリーダライタを提案することにある。
【課題を解決するための手段】
【０００８】
上記の課題を解決するために、本発明のカードリーダライタは、
カード型記憶媒体を挿入するためのカード挿入口と、
前記カード挿入口から挿入されるカード型記憶媒体を受け入れ、当該カード型記憶媒体によって、前記カード挿入口に接近した前端位置から、当該カード挿入口から離れた後端位置に押し込み可能なカードホルダと、
前記カードホルダを前記前端位置に向けて付勢しているホルダ付勢部材と、
前記カードホルダを前記後端位置にロックするためのホルダロック部材と、
前記ホルダロック部材をロック位置およびロック解除位置に移動させる駆動機構と、
前記後端位置まで押し込まれた前記カードホルダに保持されているカード型記憶媒体が前記カード挿入口から引き抜かれることを防止するための引抜防止シャッタと、
前記カードホルダの前記後端位置への押し込み動作に連動して前記引抜防止シャッタを引抜防止位置に向けて移動させ、前記カードホルダの前記前端位置への戻り動作に連動して前記引抜防止シャッタを前記引抜防止位置から退避した退避位置に向けて移動させる連動機構とを有し、
前記ホルダロック部材は、前記ロック位置に到ると、前記引抜防止シャッタに係合して当該引抜防止シャッタを前記引抜防止位置にロックするシャッタロック部を備えていることを特徴としている。
【０００９】
本発明のカードリーダライタでは、カード挿入口からカード型記憶媒体を挿入して押し込むと、当該カード型記憶媒体を受け入れたカードホルダがカード型記憶媒体と共に押し込まれて、その後端位置まで移動する。カードホルダが後端位置まで移動すると、駆動機構によってホルダロック部材がロック位置に移動してカードホルダが後端位置にロックされる。また、カードホルダの移動に連動して、引抜防止シャッタが退避位置から引抜防止位置に移動して、挿入されたカードの引き抜きが防止される。
【００１０】
さらに、引抜防止位置に移動した引抜防止シャッタは、ロック位置に移動したホルダロック部材のシャッタロック部によって、当該引抜防止位置にロックされる。よって、引抜防止シャッタはガタ付き無く引抜防止位置に保持されるので、強引にカード型記憶媒体が引き抜かれようとした場合においても、そのようなカード型記憶媒体の引き抜きを確実に阻止できる。
【００１１】
さらには、引抜防止シャッタを引抜防止位置にロックするための機構を、カードホルダを後端位置にロックするためのホルダロック部材を用いて構成してあるので、カードリーダライタの小型・コンパクト化に有利である。
【００１２】
ここで、前記引抜防止シャッタとしては、前記カード挿入口に挿入されているカード型記憶媒体の後端面に後側から当接可能な前記引抜防止位置と、前記退避位置との間を旋回可能なものを採用することができる。この場合には、前記連動機構として、前記カードホルダの移動を前記引抜防止シャッタの旋回運動に変換するためのカム機構を採用することができる。
【００１３】
また、前記ホルダロック部材の前記シャッタロック部は、前記ロック位置に到る手前の時点から前記引抜防止シャッタに係合し、当該ホルダロック部材の移動に伴って前記引抜防止シャッタを前記引抜防止位置に押し込むための押圧面を備えていることが望ましい。このようにすると、シャッタロック部と引抜防止シャッタが確実に当接した状態が形成されるので、引抜防止シャッタがガタ付き無く引抜防止位置にロックされる。この結果、挿入されたカードが不用意に引き抜かれてしまうことを確実に防止できる。
【発明の効果】
【００１４】
本発明のカードリーダライタでは、挿入されるカード型記憶媒体によって押し込まれるカードホルダの移動に連動させて引抜防止シャッタを引抜防止位置に移動させ、完全に挿入されたカードが引き抜かれることを防止している。また、押し込まれたカードホルダをロックするためのホルダロック部材を用いて、引抜防止シャッタを引抜防止位置にロックするようにしている。したがって、本発明によれば、少ない部品点数で、挿入されたカードが不用意に引き抜かれてしまうことを確実に防止できる。
【発明を実施するための最良の形態】
【００１５】
以下に、図面を参照して、本発明の実施の形態に係るＩＣカードリーダライタの実施の形態を説明する。なお、ＩＣカード以外の磁気カードなどのカード型記憶媒体のカードリーダライタに対しても本発明を同様に適用可能なことは勿論である。
【００１６】
（構成の説明）
図１はＩＣカードリーダライタ１を示す縦断面図、そのｂ−ｂ線で切断した部分の横断面図および、矢印ｃの方向から見た場合の側面図である。ＩＣカードリーダライタ１は扁平な矩形のケース２を備え、この内部に各構成部品が組み付けられている。ケース２の前端面３にはカード挿入口４が形成されている。前端面３は、その上端部分および下端部分が前方に突出した段状の面とされており、この面に沿って一定幅のカード挿入口４が開いている。すなわち、ＩＣカード１０の挿入を確実に行うことができるように、カード挿入口４が形成されている前端面３における上下方向の中央部分がカード挿入方向に凹状となっている。
【００１７】
ケース２の内部には、カード挿入口４から挿入されるＩＣカード１０を受け入れ可能なカードホルダ２０が配置されている。このカードホルダ２０は、ケース２内を、前端位置から後端位置までの間で、前後方向にスライド可能である。カードホルダ２０は、ＩＣカード１０を受け入れる本体板部分２１と、この本体板部分２１の後端に形成された直角に折れ曲がっているカード係合用の端板部分２２と、本体板部分２１の上端の前後に形成されたスライド突起２３および２４と、本体板部分２１の下端に形成したスライド突起２５を備えている。ケース２には、スライド突起２３、２４をガイドするガイド溝５、６および７が形成されている。
【００１８】
カードホルダ２０とケース２の間には、前後方向に水平に延びる引張りコイルばね２６が架け渡されている。カード挿入口４からＩＣカード１０を挿入すると、引張りコイルばね２６を伸長させながらカードホルダ２０を後方に押し込むことができる。
【００１９】
カードホルダ２０の後方には、カードホルダ２０をケース後端側の位置にロックするためのホルダロック機構３０が組み込まれている。ホルダロック機構３０は、後端の支軸３０ａを中心として上下方向に旋回可能なホルダロックアーム３１(ホルダロック部材)と、このホルダロックアーム３１を上下に旋回させるためのソレノイド３２(駆動機構)と、カードホルダ２０の側に形成されたアーム係合爪２７を備えている。
【００２０】
ホルダロックアーム３１はソレノイド３２の復帰ばね力によって、アーム係合爪２７の上端面２７ａに押し付けられた状態にある。カードホルダ２０が後方に押し込まれると、ホルダロックアーム３１に形成されているフック３１ａがアーム係合爪２７の上端面２７ａから前側に落ち込み、当該アーム係合爪２７に前方から係合した状態になり、カードホルダ２０の前方への移動が阻止されたロック状態になる。ソレノイド３２を励磁すると、ホルダロックアーム３１が上方に旋回して、ロック状態が解除される。この結果、カードホルダ２０は引張りコイルばね２６のばね力によって前方位置に復帰する。
【００２１】
カード挿入口４が形成されているケース前端面３の下端部分には、引抜防止シャッタ４０が配置されている。引抜防止シャッタ４０は、挿入されたＩＣカード１０が不用意に引き抜かれてしまうことを防止するためのものである。
【００２２】
図６にはホルダロック機構３０および引抜防止シャッタ４０の部分を示す部分斜視図であり、（ａ）はＩＣカード１０が挿入される前の状態であり、（ｂ）はＩＣカード１０が完全に挿入された後のロック状態である。図１および図６を参照して説明すると、引抜防止シャッタ４０は、ケース２に垂直に取り付けた支軸４１を中心として左右に旋回可能な状態で支持されている。引抜防止シャッタ４０の前端部分はカード挿入口４の側に湾曲している引抜防止爪４２となっている。また、引抜防止シャッタ４０における支軸４１の後側の部位４３には、その内側面に、ホルダロックアーム３１に係合可能な係合面４３ａが形成されており、その下端部に、カムフォロワであるスライドピン４３ｂが形成されている。
【００２３】
スライドピン４３ｂは、スライド可能な状態でカードホルダ２０の側に形成されているカム溝４４にスライド可能な状態で差し込まれている。カム溝４４は、全体として前後方向に延びているが、その前端側の部分がカード挿入口４から離れる方向に折れ曲がっている。カードホルダ２０が後端位置の近傍まで押し込まれる間は、シャッタ４０のスライドピン４３ｂがカム溝４４の前後方向に延びる直線状の溝部分をスライドする。
【００２４】
しかるに、カードホルダ２０が後端位置の近傍から後端位置に至る間においては、スライドピン４３ｂがカム溝４４の前端側の折れ曲がっている溝部分をスライドする。この結果、シャッタ４０の後端部分がカード挿入口４から離れる方向に移動させられるので、シャッタ４０は支軸４１を中心として、その前端側の引き抜き防止爪４２が内側に旋回して、カード挿入口４の下端部分の内側位置において、その幅方向に跨った引き抜き防止位置に位置決めされる。完全に挿入されたＩＣカード１０の後端面の下端部分に、引き抜き防止位置に位置決めされた引き抜き防止爪４２が後側から当接した状態になる。この結果、ＩＣカード１０が不用意に引き抜かれてしまうことが防止される。
【００２５】
このように、カードホルダ２０に形成したカム溝４４と、引抜防止シャッタ４０に形成したスライドピン４３ｂからなるカム機構によって、カードホルダ２０のスライドに連動して引抜防止シャッタ４０が、引抜防止位置および、そこから側方に退避した退避位置の間を旋回するようになっている。
【００２６】
ここで、ホルダロックアーム３１の先端部には、引抜防止シャッタ４０を引抜防止位置にロックするためのシャッタロック用突起３１ｂ（シャッタロック部）が形成されている。シャッタロック用突起３１ｂは、引抜防止シャッタ４０の係合面４３ａと、これに対峙しているケース２の側面部分２ｂの隙間を通って旋回するように設定されている。すなわち、ホルダロックアーム３１が、カードホルダ２０をロックするロック位置に到る手前の旋回位置において、シャッタロック用突起３１ｂが隙間に入り始め、ロック位置に到ると、シャッタロック用突起３１ｂは、隙間に完全に差し込まれた状態になるように、その旋回軌跡が設定されている。
【００２７】
また、シャッタロック用突起３１ｂの外側面には、引き抜き防止シャッタ４０の係合面４３ａと相補的な形状をしたシャッタ押圧面３１ｃが形成されており、当該シャッタ押圧面３１ｃによって引き抜き防止シャッタ４０の係合面４３ａが外方に押し出されて、当該引き抜き防止シャッタ４０がガタ付き無く、その引抜防止位置に位置決めされるるようになっている。
【００２８】
このように、本例では、後端位置においてカードホルダ２０がホルダロックアーム３１によってロックされると、当該ホルダロックアーム３１に形成されているシャッタロック用突起３１ｂが、引き抜き防止シャッタ４０の後側の部位の係合面４３ａとケース側面部分２ｂの間に嵌り込む。この結果、引抜防止シャッタ４０がその引抜防止位置に位置決めされ、そこにロックされた状態が形成される。
【００２９】
一方、カードホルダ２０の上端部分は、前後のスライド突起２３、２４の間が開放状態となっており、この部分に、カードストッパ５０が配置されている。カードストッパ５０は上下方向にスライド可能な状態でケース２に取り付けられており、ケース２と当該カードストッパ５０の間に上下方向に架け渡した引張りコイルばね５１によって常に下方に付勢されている。本例では、ケース２に前後一対の傾斜ガイド溝８、９が形成され、カードストッパ５０の前後の部位に形成されたスライドピン５２、５３がこれらの傾斜ガイド溝８、９に沿ってスライド可能な状態で差し込まれている。
【００３０】
カードストッパ５０は、水平なカード押し付け面５４を備え、このカード押し付け面５４の前端からは前方に向けて上方に傾斜した傾斜ガイド面５５が連続している。この傾斜ガイド面５５にカード挿入口４から挿入されたＩＣカード１０の上端角部が当たるようになっている。挿入されたＩＣカード１０によってカードストッパ５０が押し上げられると、そのカード押し付け面５４がＩＣカード１０の上側の側面に押し付けられた状態が形成される。これにより、挿入されたＩＣカード１０がガタ付きなく固定された状態が形成される。
【００３１】
なお、ホルダロックアーム３１の近傍位置にはロック状態になったことを検出するためのロックセンサ３３が配置されている。カードストッパ５０の近傍にはＩＣカード１０が挿入されているか否かを検出するためのカードセンサ５６が配置されている。
【００３２】
（動作の説明）
次に、図２ないし図６を参照して、このように構成した本例のカードリーダライタ１におけるカード挿入時の各部の動作を説明する。
【００３３】
まず、図２に示すように、カード挿入口４にＩＣカード１０を挿入していくと、ＩＣカード１０の挿入側の先端上側の角がカードストッパ５０の傾斜ガイド面５５に当たる。この後は、カードストッパ５０を押し上げながらＩＣカード１０が挿入される。
【００３４】
カードストッパ５０が押し上げられ、そのカード押し付け面５４によってＩＣカード１０の上側の側面が押し付けられた状態が形成され、更にＩＣカード１０を挿入すると、図３に示すように、ＩＣカード１０の前端がカードホルダ２０の端板部分２２に当たる。図３において斜線で示す部分がカードホルダ２０である。この後は、ＩＣカード１０を押し込むと、当該ＩＣカード１０がカードホルダ２０と共に後方に押し込まれる。
【００３５】
ＩＣカード１０と共にカードホルダ２０が後方に押し込まれて、その後端位置の近傍に至ると、図４に示す状態になる。すなわち、ホルダロックアーム３１がカードホルダ２０の係合爪２７に前側から係合する状態になる。また、カード挿入口４の側では、引き抜き防止シャッタ４０の旋回が始まり、その先端の引き抜き防止爪４２がカード挿入口４の側に移動し始める。さらに、ホルダロックアーム３１の先端のシャッタロック用突起３１ｂが、引き抜き防止シャッタ４０の後側の部位４３とケース側面部分２ｂの間の隙間に入り始める状態になる。
【００３６】
ＩＣカード１０を完全に押し込むと、図５および図６（ｂ）に示すように、ホルダロックアーム３１がカードホルダ２０の係合爪２７に前側から係合して、カードホルダ２０のロック状態が形成され、ＩＣカード１０は挿入された位置に保持される。また、ＩＣカード１０はカードストッパ５０によって押し付けられているのでガタ付きなく定まった位置に保持される。
【００３７】
さらに、引き抜き防止シャッタ４０が引抜防止位置に至り、ＩＣカード１０の後端面の下端部分に後側から当接した状態で、カード挿入口４を遮蔽する。ここで、引抜防止シャッタ４０は、その係合面４３ａが隙間４５に嵌り込んだホルダロックアーム３１のシャッタロック用突起３１ｂのシャッタ押圧面３１ｃによって外側に押し出された状態が形成される。よって、ＩＣカード１０の挿入が不完全な場合においては、ホルダロックアーム３１によって押圧される引抜防止シャッタ４０の引抜防止爪４２によってＩＣカード１０の後端面が押されて、ＩＣカード１０が完全に挿入された状態が形成される。また、引抜防止シャッタ４０は、ガタ付き無く、その引抜防止位置に位置決めされ、当該位置にロックされた状態が形成されるので、ＩＣカード１０が不用意に引き抜かれてしまう事態を、確実に防止できる。
【００３８】
このようにしてＩＣカード１０が挿入された状態で、ＩＣカード１０に埋め込まれている非接触型ＩＣチップに対する記憶情報の読み出し、および情報の書き込みが行われる。カード返却指令があると、ソレノイド３２が励磁され、ホルダロックアーム３１が上方に押し上げられ、カードホルダ２０のロックが解除される。ホルダロックアーム３１が押し上げられると、その先端のシャッタロック用突起３１ｂが引き抜き防止シャッタ４０から外れて、当該引き抜き防止シャッタ４０のロックも同時に解除される。
【００３９】
この結果、引張りコイルばね２６のばね力によって、ＩＣカード１０が保持されているカードホルダ２０が前方位置に向けて押し出される。また、カードホルダ２０の移動によって、引き抜き防止シャッタ４０が退避位置に向けて旋回する。このように、カード挿入時とは逆の動作が行われて、すなわち、図５から図４、図３の状態を経て、図２に示す状態に戻り、ＩＣカード１０の後端部がカード挿入口４から突出した状態に戻る。
【００４０】
以上説明したように、本例のカードリーダライタ１では、挿入されるＩＣカード１０と共に押し込まれるカードホルダ２０を後端位置にロックするためのホルダロックアーム３１にシャッタロック用突起３１ｂを形成し、カードホルダ２０に連動して引き抜き防止位置に移動した引き抜き防止シャッタ４０を、当該シャッタロック用突起３１ｂによって引き抜き防止位置にガタ付き無く位置決めして、ロックするようにしている。したがって、引き抜き防止シャッタ４０がガタ付いて、ＩＣカード１０が不用意に引き抜かれてしまう事態を確実に防止できる。
【００４１】
また、引き抜き防止シャッタ４０をカム機構を用いて、カードホルダ２０に連動させて移動させ、そのロック状態をカードホルダロック用のホルダロックアーム３１を利用して形成するようにしている。したがって、引き抜き防止シャッタ４０およびそのロック機構を少ない部品数で小型・コンパクトに構成でき、カードリーダライタの小型化に極めて有効である。
【００４２】
さらに、カードストッパ５０が上下方向に平行移動し、その水平なカード押し付け面５４によってＩＣカード１０の上側に面している外周端面部分を押し付けるようになっている。したがって、挿入されたＩＣカード１０をガタ付きなく固定することができる。
【図面の簡単な説明】
【００４３】
【図１】本発明を適用したＩＣカードリーダライタを示す縦断面図、横断面図および側面図である。
【図２】図１のカードリーダライタにおけるカード挿入開始状態を示す説明図である。
【図３】図１のカードリーダライタにおけるカード挿入途中の状態を示す説明図である。
【図４】図１のカードリーダライタにおけるカードを挿入し終える手前の状態を示す説明図である。
【図５】図１のカードリーダライタにおけるカードを挿入し終えた後の状態を示す説明図である。
【図６】図１のカードリーダライタにおける引抜防止シャッタがロックされる動作を説明するための説明図である。
【符号の説明】
【００４４】
１  カードリーダライタ
２  ケース
４  カード挿入口
５、６、７  ガイド溝
８、９  傾斜ガイド溝
１０  ＩＣカード
２０  カードホルダ
２１  本体板部分
２２  端板部分
２３、２４、２５  スライド突起
２６  引張りコイルばね
２７  係合爪
３０  ホルダロック機構
３１  ホルダロックアーム
３１ａ  フック
３１ｂ  シャッタロック用突起
３１ｃ  シャッタ押圧面
３２  ソレノイド
４０  シャッタ
４１  支軸
４２  引抜防止爪
４３ａ  係合面
４３ｂ  スライドピン(カムフォロワ)
４４  カム溝
４５  隙間
５０  カードストッパ
５１  引張りコイルばね
５２、５３  スライドピン
５４  カード押し付け面
５５  傾斜ガイド面
【図１】
2007172033.tif 000003
【図２】
2007172033.tif 000004
【図３】
2007172033.tif 000005
【図４】
2007172033.tif 000006
【図５】
2007172033.tif 000007
【図６】
2007172033.tif 000008